(57)【要約】【課題】  靴整頓機能を備えた靴べらにおいて、様々な形状の靴に使用できるとともに、靴以外のスリッパやサンダル等にも使用できるようにすること。【解決手段】  本体部２１の長さ方向の一端部に、二股に分かれる指部３２，３２が設けられ、これら指部３２の相対向する内側縁には、先端側ほど拡開する挟持縁３３が形成されるとともに、指部３２における上記挟持縁形成部位には、本体部２１の長さ方向における指部３２の長さを指部３２の実際の長さよりも縮める湾曲部３４が形成された靴べら１１。【選択図】    図１
0003112486.tif 000002
【実用新案登録請求の範囲】
【請求項１】
本体部の長さ方向の一端部に、二股に分かれる指部が設けられ、
これら指部の相対向する内側縁には、先端側ほど拡開する挟持縁が形成されるとともに、
指部における上記挟持縁形成部位には、本体部の長さ方向における指部の長さを指部の実際の長さよりも縮める湾曲部および／または折曲部が形成された
履物整頓具。
【請求項２】
前記挟持縁が、指部の内側縁全体にわたって形成された
請求項１に記載の履物整頓具。
【請求項３】
前記湾曲部および／または折曲部が、指部の先端の向きを本体部の長さ方向から９０度以上変更するものである
請求項１または請求項２に記載の履物整頓具。
【請求項４】
前記指部における先端部の外側縁に、外側に張り出す張り出し部が形成された
請求項１から請求項３のうちのいずれか一項に記載の履物整頓具。
【請求項５】
前記本体部が長さ調節可能に形成された
請求項１から請求項４のうちのいずれか一項に記載の履物整頓具。
【請求項６】
前記本体部に、被取付け部への取付け用の磁石を備える
請求項１から請求項５のうちのいずれか一項に記載の履物整頓具。
【請求項７】
前記請求項１から請求項６のうちのいずれか一項に記載の履物整頓具を有する
靴べら。
【考案の詳細な説明】
【技術分野】
【０００１】
この考案は、たとえば靴などの履物を屈まずとも整頓できるようにするための履物整頓具に関し、より詳しくは、様々な形態の履物に対しても使用できるような履物整頓具に関する。
【背景技術】
【０００２】
靴を揃えられるように構成した靴べらとして、下記特許文献１、２に開示されたものがある。
【０００３】
特許文献１の靴ベラは、細幅板状をなす靴ベラの先端に靴揃え用の割れ目を設けたものであって、その割れ目で、靴の履き口を構成する内側壁を挟むようにして靴を揃えようとするものである。上記割れ目は、その長さ方向において同一幅に形成されている。
【０００４】
特許文献２のくつべらは、くつべらの片方にくつをそろえる目的のへらを取付けてなるものであって、二股に分かれるくつそろえの先端側を直角に折曲してＬ字状に形成し、へらを設けた構成である。二股に分かれたくつそろえの間には、靴揃えに利用されるすき間が形成されるが、このすき間も、上記特許文献１の割れ目の場合と同様に、長さ方向において同一幅に形成されている。
【０００５】
これらの靴べらでは、割れ目やすき間を利用して履き口を構成する内側壁を規制して靴を揃えるわけであるが、上述のように割れ目やすき間は、その長さ方向において同一幅であるので、多種多様な履物に対して広く使用することはできなかった。
【０００６】
つまり、靴には、たとえばデッキシューズのように履き口を形成する部位が薄いものもあれば、たとえばスニーカ、運動靴のように厚いものもあり、割れ目やすき間が一定幅に形成されていると、履き口を形成する部位の厚みの違いに対応できないからである。
【０００７】
また、特に上記特許文献１の靴べらでは、靴べらの先端に割れ目を形成しただけの構成であるので、引っ掛かりがなく、靴以外のサンダルやスリッパを揃えることはできなかった。
【０００８】
【特許文献１】実開平１−１２１４８３号公報
【特許文献２】実開昭５７−５１３３号公報
【考案の開示】
【考案が解決しようとする課題】
【０００９】
そこでこの考案は、履き口部分の厚みに関わりなく使用できるようにすることを主たる課題とする。
【００１０】
また、靴以外の履物に対しても使用できるようにすることも課題とする。
【課題を解決するための手段】
【００１１】
そのための手段は、本体部の長さ方向の一端部に、二股に分かれる指部が設けられ、これら指部の相対向する内側縁には、先端側ほど拡開する挟持縁が形成されるとともに、指部における上記挟持縁形成部位には、本体部の長さ方向における指部の長さを指部の実際の長さよりも縮める湾曲部および／または折曲部が形成された履物整頓具である。
【００１２】
上記挟持縁は、直線あるいは曲線、またはこれらの結合で形成される。
【００１３】
すなわち、履物を揃えるのに際しては、たとえば履き口を形成する部位など、履物の適宜部位を指部の相対向する２つの挟持縁で挟んで行う。この履物揃えと、履物の反転や引き寄せを適宜行うと、履物の整頓が、腰をかがめずに容易にできる。
【００１４】
挟持縁は、先端側ほど拡開するように形成されているので、深く差したときに薄い部位を挟むことができ、浅く差したときに厚い部位を挟むことができる。つまり、挟む部位の厚みに関わりなく使用できる。
【００１５】
しかも、指部の挟持縁形成部位には、湾曲部および／または折曲部が形成されているので、薄い部位を挟むべく深く差したときでも、差すのに要する実際の移動距離を小さくすることができる。このため、たとえば挟む部位が薄い履物に対して上から真っ直ぐに降ろすように差した場合でも、指部の下端部が履物の中底に接触する前に挟むようにすることができる。
【００１６】
また、挟持縁は先端側ほど拡開するように形成されているので、揃える前の履物をある程度相互に近づけてから、指部の挟持縁を履物に接触させ、さらに押し付けることで、履物は挟持縁によって自動的に揃えられる。
【００１７】
ところで、上記各構成要素については、次のように構成することができる。
【００１８】
その態様の一つは、上記挟持縁が、指部の内側縁全体にわたって形成されたものである。  
すなわち、挟持縁が長く形成できるので、使用可能な範囲をより広くすることができる。
【００１９】
態様の他の一つは、上記湾曲部および／または折曲部が、指部の先端の向きを本体部の長さ方向から９０度以上変更するものである。  
すなわち、履物を積極的に引っ掛ける部分を形成できるので、挟んだ履物を引き寄せる動作が容易に行える。
【００２０】
より好ましくは、１８０度近く変更するものであって、指部の内側に懐部が形成されたものである。変更する角度が大きいものであれば、履物を引っ掛けて吊下げる動作も容易に行える。
【００２１】
態様の他の一つは、上記指部における先端部の外側縁に、外側に張り出す張り出し部が形成されたものである。  
すなわち、張り出し部を、履物を引っ掛けるための引っ掛かり部分とすることができるので、挟持縁を利用しての履物の挟持はもとより、履物形態に応じては、張り出し部を利用することで、より確実に履物を挟んだり引っ掛けたりして、揃え、反転、引き寄せ等の動作が行える。
【００２２】
態様の他の一つは、上記本体部が、長さ調節可能に形成されたものである。  
すなわち、本体部が長さ調節可能であるので、履物が使用者から離れた位置にある場合でも、高低差がある場合でも、使用できるとともに、持ち運び時や保管時に縮めてコンパクトにすることもできる。
【００２３】
態様の他の一つは、上記本体部に、被取付け部への取付け用の磁石を備えるものである。  
すなわち、磁石を利用すれば、壁面や下駄箱の側面などの被取付け部に対して磁石の吸着力により取付けておくことができる。壁面や下駄箱などが磁石の吸着する部分のない場合には、そこに鉄板等をあらかじめ取付けておけばよい。紐をかけたり釘に引っ掛けたりする場合に比して、細かな動作をしなくとも容易に履物整頓具自体を整頓することができる。このため、お年寄りや体が思うとおりに動かない人にとってより適したものとなる。
【００２４】
別の手段は、上記履物整頓具を有する靴べらである。  
すなわち、靴べらとしての機能も有するので、履物を履く時も、履物を脱いだ時も便利に使用することができる。
【考案の効果】
【００２５】
以上のように、この考案によれば、本体部の一端部に形成された指部の挟持縁と、湾曲部および／または折曲部の存在により、履物の挟持される部位の厚さが厚くても薄くても、確実に挟持することができる。このため、いろいろな靴に対して使用できるうえに、靴以外のサンダルやスリッパなどにも使用することができる。
【考案を実施するための最良の形態】
【００２６】
この考案を実施するための一形態を、以下図面を用いて詳述する。  
図１は、靴べら１１とその使用状態を示す斜視図であり、この図に示すように靴べら１１は、脱いだ靴１２を屈まずに整頓できるようにするための機能を有する。すなわち、長尺状に形成された本体部２１の長さ方向の一端部に、靴１２を引っ掛けるための作用部３１を備えている。この作用部３１を靴１２に引っ掛けて、靴べら１１の他端部側を手に持って操作することによって、向きも変えずに脱ぎ散らかされた靴１２を整頓することができる。屈んで靴１２を直接持たなくても整頓できるので、お年寄りや足腰の痛い人、不自由な人などが使用するのに好適である。
【００２７】
この靴べら１１は、次のように構成される。  
長尺棒状をなす本体部２１の一端部に、上記作用部３１を有する一方、他端部には、靴１２を履く時に足と靴１２の仲介を行うへら部４１が一体に形成されている。これら本体部２１と作用部３１とへら部４１は、適宜幅の略板状に形成される。材料には竹や木を用いるのが好ましいが、合成樹脂などの適宜材料で形成されるもよい。
【００２８】
そして、上記作用部３１は、図２に示したように、V字状に二股に分かれて伸びる２本の指部３２，３２からなり、これら指部３２の相対向する内側縁には、その長さ方向の全体にわたって先端側ほど拡開する挟持縁３３が形成されている。つまり、挟持縁３３同士の間隔は先端側にゆくほど広くなる。この挟持縁３３は、図３の展開図に示したように、先端部と後端部は曲線で形成されるが、それ以外の部分は直線で形成されている。このため、挟持縁３３同士の間隔は、本体部２１の長さ方向に沿って連続的に一定の割合で変化する。
【００２９】
また指部３２には、その全体に、指部３２の先端の向きを本体部２１の長さ方向から１８０度近く変更するように大きく湾曲する湾曲部３４が形成され、その内側には懐部３５が形成されている。該懐部３５の側面視上の大きさは、靴１２の履き口１２ａに立てて入る程度の大きさに設定される。例えば、その本体部２１の長さ方向における長さは４〜６cm程度であるのが好ましい。
【００３０】
また、指部３２における先端部の外側縁には、外側に張り出す張り出し部３６が形成されている。この張り出し部３６は、図３にも示したように、先端部以外の部分の幅より広くなるものであればよく、その大きさや形状は適宜設定される。
【００３１】
このように構成された靴べら１１では、靴１２を履くときにへら部４１を利用すれば靴１２が履きやすくなる。
【００３２】
また、玄関から上がるときに履物の向きを直して揃えないで上がっても、容易に履物を整頓することができる。すなわち、作用部３１の指部３２に形成された挟持縁３３と湾曲部３４を利用して、履物の揃えと、引き寄せと、反転とを、玄関から上がった時にその位置から行う。
【００３３】
履物の整頓は、上記履物の揃え、引き寄せおよび反転を、脱いだ履物の情況や本体部２１の長さなどの条件に応じて適宜組み合わせて行われるが、靴の揃えについては、つぎのようにして行われる。
【００３４】
履物が靴１２の場合、図１に示したように、靴１２の履き口１２ａを構成する内側壁部１２ｂを挟んで行うが、このとき、図４に示したように、靴１２の形状に応じて靴べら１１の使い方を変える。すなわち、デッキシューズなどのように履き口１２ａを構成する内側壁部１２ｂが薄い場合には、靴べら１１を立てた姿勢で一対の靴１２の内側壁部１２ｂを挟むようにする（図５参照）。一方、スニーカ、運動靴などのように履き口１２ａを構成する内側壁部１２ｂが厚い場合には、靴べら１１を傾けた姿勢にして一対の靴１２の内側壁部１２ｂを挟むようにする（図６参照）。
【００３５】
これは、指部３２が挟持縁３３と湾曲部を有するためで、図４に示したように、指部３２の先端から挟持位置までの距離Ｌ１，Ｌ２を長く取れば取るほど、挟持位置Ｐでの挟持縁３３同士の間の幅は狭くなり、その距離が短ければ短いほど、挟持縁３３同士の幅は広くなるからである。つまり、靴１２の履き口１２ａから差し込む距離が短い場合でも、湾曲３４の存在により、本体部２１を立てることによって、指部３２の先端から挟持位置Ｐまでの距離を長く取ることができる。換言すれば、靴べら１１を立てても、指部３２の下端部を靴１２の中底に対して非接触にして、上記挟持を行うことができる。逆に、本体部２１を傾けることによって、指部３２の先端から挟持位置Ｐまでの距離を短くすることができる。
【００３６】
挟持縁３３は、そのほとんどを直線で連続して形成しているので、端部を除いて上記距離と幅は反比例する。そして、連続的に形成されているので、どのような厚みに対しても対応させることができる。
【００３７】
また、図５、図６に示したように、挟持縁３３は、本体部２１の長さ方向に対して傾斜しているので、靴１２がきちんと揃えられていない状態でも、靴べら１１を上から降ろすだけで、一対の靴１２の履き口１２ａは挟持縁３３に誘導されて、自動的に揃えられる。
【００３８】
さらに、指部３２の内側には懐部３５が形成されているので、上記のように揃えが簡単に行えるほか、引っ掛かりが良好であって、靴１２の引き寄せや反転の動作も簡単に行える。
【００３９】
図７は、上記靴１２の揃えを含めた靴１２の整頓手順の一例を示す説明図で、（ａ）は、揃え、引き寄せ、反転と順に行う例で、履き口１２ａを構成する内側壁部１２ｂが比較的厚い靴１２の場合に適する。（ｂ）は、引き寄せ、反転、揃えと順に行う例で、履き口１２ａを構成する内側壁部１２ｂが比較的薄い靴１２の場合に適する。
【００４０】
なお、引き寄せや反転は、上記揃えを行う場合とは異なる適宜の引っ掛け方で作用部３１を靴１２に引っ掛けて行うこともできる。
【００４１】
図８は、靴１２以外の履物を整頓する際に行う作用部の引っ掛け方を示した一例で、（ａ）の甲皮１３ａや、（ｂ）の甲バンド１４ａ、（ｃ）の鼻緒型バンド１４ｂなどを有する履物（スリッパ１３、サンダル１４）でも、作用部３１をその端部等に引っ掛けることで上述のような整頓ができる。
【００４２】
この場合には特に、指部３２の先端に形成された張り出し部３６が甲皮などの下に位置されることによって上にあげたときに引っ掛かりとなるので、挟持縁３３間で挟持する以外の方法でも良好に引っ掛けることが可能で、操作性を向上することができる。
【００４３】
以下、その他の例を説明する。なお、上記構成と同一または同等の部位については、上記構成の場合と同一の符号を付してその詳しい説明を省略している。
【００４４】
図９は、竹のようには腰または粘りのない材料、たとえば合成樹脂で成形する場合の靴べらの例を示しており、強度を増すために、本体部２１は断面円弧状に形成され、指部３２には、補強用のリブ３２ａが形成されている。
【００４５】
図１０は、本体部２１の一部断面側面図で、本体部２１の長さを調節する長さ調節機構５１を有している。この長さ調節機構５１は、二分割された本体部２１の一方（上部材２２）と他方（下部材２３）の間に形成される。
【００４６】
すなわち、上記上部材２２は、その先端に、下部材２３上を重合状態で摺動するための規制部２２ａを有している。また、下部材２３は、その先端の反上部材２２側の面に、その端部から、抜け止め段部２３ａとクサビ面２３ｂとを順に有するとともに、クサビ面２３ｂ部分の長さ方向の中間部分には、方形短筒状のストッパ２４を保持している。このストッパ２４の内側面のうち相対向する二面はテーパ状に形成され、上記クサビ面に対向する面を摺接面２４ａとし、該摺接面２４ａに対向する面の上端部を、上部材２２に圧接する圧接部２４ｂとしている。
【００４７】
つまり、本体部２１の長さ調節は、ストッパ２４を下部材２３の端部側に移動すると、ストッパ２４の圧接部２４ｂの圧接が解かれる一方、ストッパ２４を上部材２２の端部側に移動するとストッパ２４の圧接部２４ｂが上部材２２に圧接して、上部材２２と下部材２３の位置関係が固定される。
【００４８】
ストッパ２４を本体部２１の長さ方向に移動させるだけで固定や固定の解除ができるので、本体部２１の長さ調節はお年寄りにでも簡単にできる。
【００４９】
図１１は、本体部２１の一部断面側面図で、本体部２１の裏面に磁石６１が取付けられている。磁石６１の形状や取付け位置などは適宜設定されるが、磁石６１の厚さについては、図示したような下駄箱の側面などの被取付け部６２に取付けたときにへら部４１が磁石６１の吸着を阻害しないように設定されるのが好ましい。また、磁石６１の取付け位置については、靴べら１１の重心に近い位置に設定されるのが好ましい。バランスがよく、履物を履いたり整頓したりする時の操作性が良好になるからである。なお、本体部２１の表面における磁石取付け位置対応部には、裏側に磁石６１が存在することを示すための目印として膨らみ６３が形成される。色やシール等の適宜の方法で表示するもよい。
【００５０】
被取付け部６２がスチール製ではなく磁石が吸着しないものである場合には、図示したように、あらかじめ金属板６４などを取付けておく。図中６５は、金属板６４を支える弾力性を有した基材で、６６は、両面接着テープである。基材６５は省略することもできる。また、両面接着テープに代えてねじ等で取付けるもよい。
【００５１】
上述のように本体部２１が磁石６１を有すると、適宜の場所に簡単に取付けられ、履物はもとより、靴べら１１自体も簡単に整頓することができる。しかも、従来の場合には釘に引っ掛けたりするような細かな作業が必要であったが、これが不要となるので、お年寄りや体の不自由な人にとってより一そう使いやすい靴べら１１となる。
【００５２】
この考案の構成と、上記一形態の構成との対応において、  
この発明の履物は、靴１２、スリッパ１３、サンダル１４に対応し、  
同様に、  
履物整頓具は、本体部２１と作用部３１に対応するも、  
この考案は、上記構成のみに限定されるものではなく、その他の様々な形態を採用することができる。
【００５３】
たとえば、長さ調節手段はねじ止め等の適宜手段で構成されるものであるもよい。
【００５４】
また、指部は、側面視Ｌ字状やコ字状等に折曲する折曲部を有するものであるもよく、折曲部と湾曲部を混在させたものであるもよい。
【図面の簡単な説明】
【００５５】
【図１】靴べらとその使用上態を示す斜視図。
【図２】靴べらの形状を示す説明図。
【図３】要部の展開図。
【図４】作用状態の側面図。
【図５】作用状態の断面図。
【図６】作用状態の断面図。
【図７】使用上態の一例を示す説明図。
【図８】使用状態の他の例を示す説明図。
【図９】他の例に係る靴べらの一部切欠側面図。
【図１０】他の例に係る本体部の一部断面側面図。
【図１１】他の例に係る本体部の一部断面側面図。
【符号の説明】
【００５６】
１１…靴べら
１２…靴
１３…スリッパ
１４…サンダル
２１…本体部
３２…指部
３３…挟持縁
３４…湾曲部
３６…張り出し部
５１…長さ調節機構
６１…磁石
６２…被取付け部
【図１】
0003112486.tif 000003
【図２】
0003112486.tif 000004
【図３】
0003112486.tif 000005
【図４】
0003112486.tif 000006
【図５】
0003112486.tif 000007
【図６】
0003112486.tif 000008
【図７】
0003112486.tif 000009
【図８】
0003112486.tif 000010
【図９】
0003112486.tif 000011
【図１０】
0003112486.tif 000012
【図１１】
0003112486.tif 000013